(57)【要約】互いに直列接続された１対のＩＧＢＴを３相分互いに並列接続し、各ＩＧＢＴと並列に第１ダイオードを逆極性で接続してなるコンバータと、互いに直列接続された１対のＩＧＢＴを３相分互いに並列接続し、各ＩＧＢＴと並列に第１ダイオードを逆極性で接続してなるインバータと、コンバータとインバータとの間に接続された平滑用コンデンサと、コンバータの各対のＩＧＢＴの接続点と図示しない交流電源の各相出力端子との間に接続されるリアクトルとを基板上に有する構成を基準とし、要求仕様に応じて、一部のコンバータ部品、および／または一部のインバータ部品を省略することにより、種々のタイプの電力モジュールに簡単に対処する。
2004012325.tif 000002
【特許請求の範囲】
【請求項１】
多相コンバータ（１０）を構成する複数のコンバータ部品、複数個の平滑用コンデンサ（５）、および多相インバータ（２０）を構成する複数のインバータ部品が、必要な配線が形成されてある基板に搭載可能な電力モジュールであって、
電力モジュールに要求される仕様に応じて少なくとも一部のコンバータ部品、少なくとも一部の平滑用コンデンサ（５）、および少なくとも一部のインバータ部品が前記基板に搭載されてあるとともに、必要なジャンパー手段が設けられてあることを特徴とするＡＣ／ＡＣ電力変換のための電力モジュール。
【請求項２】
前記基板に搭載可能な前記多相コンバータ（１０）は３相コンバータ（１０）であり、前記平滑コンデンサ（５）の数は２であり、前記多相インバータ（２０）は３相インバータ（２０）である請求項１に記載のＡＣ／ＡＣ電力変換のための電力モジュール。
【請求項３】
前記３相コンバータ（１０）は、各相毎に互いに直列接続される１対のトランジスタ（１）、および各トランジスタ（１）と並列に接続されるダイオード（２）で構成され、電力モジュールに要求される仕様に応じて少なくとも一部のダイオード（２）のみ、および／または少なくとも一部のトランジスタ（１）およびダイオード（２）が前記基板に搭載されてあるとともに、必要なジャンパー手段が設けられてある請求項２に記載のＡＣ／ＡＣ電力変換のための電力モジュール。
【請求項４】
前記３相インバータ（１０）は、各相毎に互いに直列接続される１対のトランジスタ（１）、および各トランジスタ（１）と並列に接続されるダイオード（２）で構成され、電力モジュールに要求される仕様に応じて少なくとも一部のトランジスタ（１）およびダイオード（２）が前記基板に搭載されてあるとともに、必要なジャンパー手段が設けられてある請求項２に記載のＡＣ／ＡＣ電力変換のための電力モジュール。
【請求項５】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部のトランジスタ（１１）およびダイオードブリッジ（１３）と第１ダイオード（１２）とが前記基板に搭載されてあるとともに、必要なジャンパー手段が設けられてある請求項２に記載のＡＣ／ＡＣ電力変換のための電力モジュール。
【請求項６】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部の第１ダイオード（１２）のみが前記基板に搭載されてあるとともに、必要なジャンパー手段が設けられてある請求項２に記載のＡＣ／ＡＣ電力変換のための電力モジュール。
【請求項７】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部のトランジスタ（１１）およびダイオードブリッジ（１３）が前記基板に搭載されてあるとともに、電力モジュールに要求される仕様に応じて少なくとも一部の第１ダイオード（１２）が前記基板に搭載されてあり、必要なジャンパー手段が設けられてある請求項２に記載のＡＣ／ＡＣ電力変換のための電力モジュール。
【請求項８】
前記３相コンバータ（１０）は、各相毎に互いに直列接続されるトランジスタ（１１）および１対の順接続の第１ダイオード（１４）と、トランジスタ（１１）のエミッタ端子とコレクタ端子との間に互いに直列接続された１対の逆接続の第２ダイオード（１５）から構成され、電力モジュールに要求される仕様に応じて少なくとも一部のトランジスタ（１１）および第２ダイオード（１５）が前記基板に搭載されてあるとともに、電力モジュールに要求される仕様に応じて少なくとも一部の第１ダイオード（１４）が前記基板に搭載されてあり、必要なジャンパー手段が設けられてある請求項２に記載のＡＣ／ＡＣ電力変換のための電力モジュール。
【請求項９】
前記３相コンバータ（１０）は、各相毎に互いに直列接続されるトランジスタ（１１）および１対の順接続の第１ダイオード（１４）と、トランジスタ（１１）のエミッタ端子とコレクタ端子との間に互いに直列接続された１対の逆接続の第２ダイオード（１５）とから構成され、電力モジュールに要求される仕様に応じて少なくとも一部の第１ダイオード（１２）のみが前記基板に搭載されてあり、必要なジャンパー手段が設けられてある請求項２に記載のＡＣ／ＡＣ電力変換のための電力モジュール。
【請求項１０】
少なくとも一部のダイオード（２）のみが前記基板に搭載され、コンバータ（１０）と平滑用コンデンサ（５）との間にリアクトル（８）を接続可能なジャンクション手段が設けられてある請求項３、または請求項６に記載のＡＣ／ＡＣ電力変換のための電力モジュール。
【請求項１１】
少なくとも一部の第１ダイオード（１２）のみが前記基板に搭載され、コンバータ（１０）と平滑用コンデンサ（５）との間にリアクトル（８）が外付けされてある請求項９に記載のＡＣ／ＡＣ電力変換のための電力モジュール。
【請求項１２】
前記コンバータ（１０）と並列にリアクトル（１６）が接続され、リアクトル（１６）と平滑用コンデンサ（５）との間に逆接続の第３ダイオード（１７）が接続されてある請求項８に記載のＡＣ／ＡＣ電力変換のための電力モジュール。
【請求項１３】
前記コンバータ（１０）と並列に順接続の第４ダイオード（１８）が接続され、第４ダイオード（１８）と平滑用コンデンサ（５）との間にリアクトル（１９）が接続されてある請求項８に記載のＡＣ／ＡＣ電力変換のための電力モジュール。
【請求項１４】
多相コンバータ（１０）を構成する複数のコンバータ部品、および多相インバータ（２０）を構成する複数のインバータ部品が、必要な配線が形成されてある基板に搭載可能な電力モジュールであって、
電力モジュールに要求される仕様に応じて少なくとも一部のコンバータ部品、および少なくとも一部のインバータ部品が前記基板に搭載されてあるとともに、必要なジャンパー手段が設けられてあることを特徴とするＡＣ／ＡＣ電力変換のための電力モジュール。
【請求項１５】
平滑用コンデンサ（５）を接続可能なジャンクション手段をさらに含む請求項１４に記載のＡＣ／ＡＣ電力変換のための電力モジュール。
【請求項１６】
前記基板に搭載可能な前記多相コンバータ（１０）は３相コンバータ（１０）であり、前記多相インバータ（２０）は３相インバータ（２０）である請求項１４または請求項１５に記載のＡＣ／ＡＣ電力変換のための電力モジュール。
【請求項１７】
前記３相コンバータ（１０）は、各相毎に互いに直列接続される１対のトランジスタ（１）、および各トランジスタ（１）と並列に接続されるダイオード（２）で構成され、電力モジュールに要求される仕様に応じて少なくとも一部のダイオード（２）のみ、および／または少なくとも一部のトランジスタ（１）およびダイオード（２）が前記基板に搭載されてあるとともに、必要なジャンパー手段が設けられてある請求項１４または請求項１５に記載のＡＣ／ＡＣ電力変換のための電力モジュール。
【請求項１８】
前記３相インバータ（１０）は、各相毎に互いに直列接続される１対のトランジスタ（１）、および各トランジスタ（１）と並列に接続されるダイオード（２）で構成され、電力モジュールに要求される仕様に応じて少なくとも一部のトランジスタ（１）およびダイオード（２）が前記基板に搭載されてあるとともに、必要なジャンパー手段が設けられてある請求項１４または請求項１５に記載のＡＣ／ＡＣ電力変換のための電力モジュール。
【請求項１９】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部のトランジスタ（１１）およびダイオードブリッジ（１３）と第１ダイオード（１２）とが前記基板に搭載されてあるとともに、必要なジャンパー手段が設けられてある請求項１４または請求項１５に記載のＡＣ／ＡＣ電力変換のための電力モジュール。
【請求項２０】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部の第１ダイオード（１２）のみが前記基板に搭載されてあるとともに、必要なジャンパー手段が設けられてある請求項１４または請求項１５に記載のＡＣ／ＡＣ電力変換のための電力モジュール。
【請求項２１】
前記３相コンバータ（１０）は、各相毎に互いに直列接続されるトランジスタ（１１）および１対の逆接続の第１ダイオード（１２）と、トランジスタ（１１）のエミッタ端子およびコレクタ端子に互いに対向する１対の接続点が接続され、他の１対の接続点が入出力点に設定されたダイオードブリッジ（１３）とから構成され、電力モジュールに要求される仕様に応じて少なくとも一部のトランジスタ（１１）およびダイオードブリッジ（１３）が前記基板に搭載されてあるとともに、電力モジュールに要求される仕様に応じて少なくとも一部の第１ダイオード（１２）が前記基板に搭載されてあり、必要なジャンパー手段が設けられてある請求項１６に記載のＡＣ／ＡＣ電力変換のための電力モジュール。
【請求項２２】
前記３相コンバータ（１０）は、各相毎に互いに直列接続されるトランジスタ（１１）および１対の順接続の第１ダイオード（１４）と、トランジスタ（１１）のエミッタ端子とコレクタ端子との間に互いに直列接続された１対の逆接続の第２ダイオード（１５）から構成され、電力モジュールに要求される仕様に応じて少なくとも一部のトランジスタ（１１）および第２ダイオード（１５）が前記基板に搭載されてあるとともに、電力モジュールに要求される仕様に応じて少なくとも一部の第１ダイオード（１４）が前記基板に搭載されてあり、必要なジャンパー手段が設けられてある請求項１６に記載のＡＣ／ＡＣ電力変換のための電力モジュール。
【請求項２３】
前記３相コンバータ（１０）は、各相毎に互いに直列接続されるトランジスタ（１１）および１対の順接続の第１ダイオード（１４）と、トランジスタ（１１）のエミッタ端子とコレクタ端子との間に互いに直列接続された１対の逆接続の第２ダイオード（１５）とから構成され、電力モジュールに要求される仕様に応じて少なくとも一部の第１ダイオード（１２）のみが前記基板に搭載されてあり、必要なジャンパー手段が設けられてある請求項１６に記載のＡＣ／ＡＣ電力変換のための電力モジュール。
【請求項２４】
少なくとも一部のダイオード（２）のみが前記基板に搭載され、コンバータ（１０）と平滑用コンデンサ（５）との間にリアクトル（８）を接続可能なジャンクション手段が設けられてある請求項１７、または請求項２０に記載のＡＣ／ＡＣ電力変換のための電力モジュール。
【請求項２５】
少なくとも一部の第１ダイオード（１２）のみが前記基板に搭載され、コンバータ（１０）と平滑用コンデンサ（５）との間にリアクトル（８）を接続可能なジャンクション手段が設けられてある請求項２３に記載のＡＣ／ＡＣ電力変換のための電力モジュール。
【請求項２６】
前記コンバータ（１０）と並列にリアクトル（１６）が接続され、リアクトル（１６）と平滑用コンデンサ（５）との間に逆接続の第３ダイオード（１７）が接続されてある請求項２２に記載のＡＣ／ＡＣ電力変換のための電力モジュール。
【請求項２７】
前記コンバータ（１０）と並列に順接続の第４ダイオード（１８）が接続され、第４ダイオード（１８）と平滑用コンデンサ（５）との間にリアクトル（１９）が接続されてある請求項２２に記載のＡＣ／ＡＣ電力変換のための電力モジュール。
【発明の詳細な説明】
【技術分野】  この発明はＡＣ／ＡＣ電力変換のための電力モジュールに関し、さらに詳細にいえば、交流電圧をコンバータおよびインバータを用いて所望の交流電圧に変換するための電力モジュールに関する。
【背景技術】  長年、２スイッチ、または４スイッチの電力モジュールは、電力変換分野の中で唯一過度に使われた装置であった。それらの標準化の主な理由は、単純さおよびユニバーサル・アプリケーションである。そのようなタイプが、例えばインテグレーテッド・ゲート・バイポーラ・トランジスタ・モジュールＩＧＢＴ  ＭＯＤ、アプリケーション特定のインテリジェント電力モジュールＡＳＩＰＭ、デュアル・インライン・パッケージ・インテリジェント電力モジュールＤＩＰ−ＩＰＭ、のような種々の名前で市場に出ている。上記例の全ては、負荷側アプリケーションの条件だけを改善するために開発される。しかし、送電設備網側は、常に競争の激しさの理由の欠如により無視された。
最近、ＥＭＣ規制と世界的な市場経済は、非常に速く状況を変えている。そして、電力モジュールの新しいタイプは、市場に導入されている。
第１に、マトリックスモジュールは、Ｏｌａｆ  Ｓｉｍｏｎ，ｅｔ  ａｌ，“Ｍｏｄｅｒｎ  Ｓｏｌｕｔｉｏｎ  ｆｏｒ  Ｉｎｄｕｓｔｒｉａｌ  Ｍａｔｒｉｘ−Ｃｏｎｖｅｒｔｅｒ  Ａｐｐｌｉｃａｔｉｏｎｓ”，ＩＥＥＥ  Ｔｒａｎｓａｃｔｉｏｎｓ  ｏｎ  Ｉｎｄｕｓｔｒｉａｌ  Ｅｌｅｃｔｒｏｎｉｃｓ  ｐｐ／４０１−４０６，Ｖｏｌ．４９，Ｎｏ．２，Ａｐｒｉｌ  ２００２、およびＰａｔｒｉｃｋ  Ｗ．Ｗｈｅｅｌｅｒ，ｅｔ  ａｌ，“Ｍａｔｒｉｘ  ｃｏｎｖｅｒｔｅｒ：Ａ  Ｔｅｃｈｎｏｌｏｇｙ  Ｒｅｖｉｅｗ”，ＩＥＥＥ  Ｔｒａｎｓａｃｔｉｏｎｓ  ｏｎ  Ｉｎｄｕｓｔｒｉａｌ  Ｅｌｅｃｔｒｏｎｉｃｓ  ｐｐ／２７６−２８８，Ｖｏｌ．４９，Ｎｏ．２，Ａｐｒｉｌ  ２００２で紹介された。第１図に示すように、このモジュールは３相のＡＣ−ＡＣ変換を意図する。
第２に、アクティブフィルタ・インテリジェント電力モジュールＡ／Ｆ  ＩＰＭは、Ｇ．Ｍｊｕｍｄａｒ，ｅｔ  ａｌ，“Ｉｎｔｅｌｌｉｇｅｎｔ  ｐｏｗｅｒ  ｍｏｄｕｌｅ  ａｐｐｌｉｃａｔｉｏｎｓ”，ＩＥＥＪ  Ｔｅｃｈｎｉｃａｌ  Ｒｅｐｏｒｔ  Ｎｏ．８４２，ｐｐ．１３−１９，Ｊｕｎ  ２００１で提案された。第２図に示すように、Ａ／Ｆ  ＩＰＭは、単相のアプリケーションの送電設備網サイドでの力率訂正を意図する。
従来の電力モジュールの問題は、次の通りである。
１）一般に、標準のデザインに起因して、外部の回路は、送電設備網サイドにおける力率訂正のような特定のアプリケーションのために必要とされる。
２）デザインは、電力供給タイプ（２００Ｖ、１００Ｖ、４００Ｖ、・・・等）、および２００Ｖのモータと４００Ｖのモータのような負荷側のタイプのような各々のアプリケーション・カテゴリーにしたがって変化されなければならない。これはモデル・タイプの増加をもたらし、それは最終的な製品のコストの増加を意味する。
３）提案されたマトリックス・モジュールは、３相−３相システムの実現の１つでみな兼ねるという長所がある。しかし、それは単相／３相システムに適用されることができない。なぜならば、そのアプリケーションが、３相／３相または３相／単相のシステムだけに制限されるからである。
４）Ａ／Ｆ  ＩＰＭ技術は、また、特定のアプリケーションを目的として、３相−３相変換のためには適用されることができない。
この発明は上記の問題点に鑑みてなされたものであり、種々のタイプに簡単に対処できる電力モジュールを提供することを目的としている。
【発明の開示】
請求項１のＡＣ／ＡＣ電力変換のための電力モジュールは、多相コンバータを構成する複数のコンバータ部品、複数個の平滑用コンデンサ、および多相インバータを構成する複数のインバータ部品が、必要な配線が形成されてある基板に搭載可能な電力モジュールであって、
電力モジュールに要求される仕様に応じて少なくとも一部のコンバータ部品、少なくとも一部の平滑用コンデンサ、および少なくとも一部のインバータ部品が前記基板に搭載されてあるとともに、必要なジャンパー手段が設けられてあるものである。
請求項２のＡＣ／ＡＣ電力変換のための電力モジュールは、前記基板に搭載可能な前記多相コンバータとして３相コンバータを採用し、前記平滑コンデンサの数を２に設定し、前記多相インバータとして３相インバータを採用するものである。
請求項３のＡＣ／ＡＣ電力変換のための電力モジュールは、前記３相コンバータが、各相毎に互いに直列接続される１対のトランジスタ、および各トランジスタと並列に接続されるダイオードで構成され、電力モジュールに要求される仕様に応じて少なくとも一部のダイオードのみ、および／または少なくとも一部のトランジスタおよびダイオードが前記基板に搭載されてあるとともに、必要なジャンパー手段が設けられてあるものである。
請求項４のＡＣ／ＡＣ電力変換のための電力モジュールは、前記３相インバータが、各相毎に互いに直列接続される１対のトランジスタ、および各トランジスタと並列に接続される還流ダイオードで構成され、電力モジュールに要求される仕様に応じて少なくとも一部のトランジスタおよびダイオードが前記基板に搭載されてあるとともに、必要なジャンパー手段が設けられてあるものである。
請求項５のＡＣ／ＡＣ電力変換のための電力モジュールは、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部のトランジスタおよびダイオードブリッジと第１ダイオードとが前記基板に搭載されてあるとともに、必要なジャンパー手段が設けられてあるものである。
請求項６のＡＣ／ＡＣ電力変換のための電力モジュールは、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部の第１ダイオードのみが前記基板に搭載されてあるとともに、必要なジャンパー手段が設けられてあるものである。
請求項７のＡＣ／ＡＣ電力変換のための電力モジュールは、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部のトランジスタおよびダイオードブリッジが前記基板に搭載されてあるとともに、電力モジュールに要求される仕様に応じて少なくとも一部の第１ダイオードが前記基板に搭載されてあり、必要なジャンパー手段が設けられてあるものである。
請求項８のＡＣ／ＡＣ電力変換のための電力モジュールは、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部のトランジスタおよび第２ダイオードが前記基板に搭載されてあるとともに、電力モジュールに要求される仕様に応じて少なくとも一部の第１ダイオードが前記基板に搭載されてあり、必要なジャンパー手段が設けられてあるものである。
請求項９のＡＣ／ＡＣ電力変換のための電力モジュールは、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部の第１ダイオードのみが前記基板に搭載されてあり、必要なジャンパー手段が設けられてあるものである。
請求項１０のＡＣ／ＡＣ電力変換のための電力モジュールは、少なくとも一部のダイオードのみが前記基板に搭載され、コンバータと平滑用コンデンサとの間にリアクトルが外付けされてあるものである。
請求項１１のＡＣ／ＡＣ電力変換のための電力モジュールは、少なくとも一部の第１ダイオードのみが前記基板に搭載され、コンバータと平滑用コンデンサとの間にリアクトルが外付けされてあるものである。
請求項１２のＡＣ／ＡＣ電力変換のための電力モジュールは、前記コンバータと並列にリアクトルが接続され、リアクトルと平滑用コンデンサとの間に逆接続の第３ダイオードが接続されてあるものである。
請求項１３のＡＣ／ＡＣ電力変換のための電力モジュールは、前記コンバータと並列に順接続の第４ダイオードが接続され、第４ダイオードと平滑用コンデンサとの間にリアクトルが接続されてあるものである。
請求項１４のＡＣ／ＡＣ電力変換のための電力モジュールは、多相コンバータを構成する複数のコンバータ部品、および多相インバータを構成する複数のインバータ部品が、必要な配線が形成されてある基板に搭載可能な電力モジュールであって、
電力モジュールに要求される仕様に応じて少なくとも一部のコンバータ部品、および少なくとも一部のインバータ部品が前記基板に搭載されてあるとともに、必要なジャンパー手段が設けられてあるものである。
請求項１５のＡＣ／ＡＣ電力変換のための電力モジュールは、平滑用コンデンサを接続可能なジャンクション手段をさらに含むものである。
請求項１６のＡＣ／ＡＣ電力変換のための電力モジュールは、前記基板に搭載可能な前記多相コンバータとして３相コンバータを採用し、前記多相インバータとして３相インバータを採用するものである。
請求項１７のＡＣ／ＡＣ電力変換のための電力モジュールは、前記３相コンバータとして、各相毎に互いに直列接続される１対のトランジスタ、および各トランジスタと並列に接続されるダイオードで構成されるものを採用し、電力モジュールに要求される仕様に応じて少なくとも一部のダイオードのみ、および／または少なくとも一部のトランジスタおよびダイオードが前記基板に搭載されてあるとともに、必要なジャンパー手段が設けられたものである。
請求項１８のＡＣ／ＡＣ電力変換のための電力モジュールは、前記３相インバータとして、各相毎に互いに直列接続される１対のトランジスタ、および各トランジスタと並列に接続されるダイオードで構成されるものを採用し、電力モジュールに要求される仕様に応じて少なくとも一部のトランジスタおよびダイオードが前記基板に搭載されてあるとともに、必要なジャンパー手段が設けられたものである。
請求項１９のＡＣ／ＡＣ電力変換のための電力モジュールは、前記３相コンバータとして、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成されるものを採用し、電力モジュールに要求される仕様に応じて少なくとも一部のトランジスタおよびダイオードブリッジと第１ダイオードとが前記基板に搭載されてあるとともに、必要なジャンパー手段が設けられたものである。
請求項２０のＡＣ／ＡＣ電力変換のための電力モジュールは、前記３相コンバータとして、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成されるものを採用し、電力モジュールに要求される仕様に応じて少なくとも一部の第１ダイオードのみが前記基板に搭載されてあるとともに、必要なジャンパー手段が設けられたものである。
請求項２１のＡＣ／ＡＣ電力変換のための電力モジュールは、前記３相コンバータとして、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成されるものを採用し、電力モジュールに要求される仕様に応じて少なくとも一部のトランジスタおよびダイオードブリッジが前記基板に搭載されてあるとともに、電力モジュールに要求される仕様に応じて少なくとも一部の第１ダイオードが前記基板に搭載されてあり、必要なジャンパー手段が設けられたものである。
請求項２２のＡＣ／ＡＣ電力変換のための電力モジュールは、前記３相コンバータとして、各相毎に互いに直列接続されるトランジスタおよび１対の順接続の第１ダイオードと、トランジスタのエミッタ端子とコレクタ端子との間に互いに直列接続された１対の逆接続の第２ダイオードから構成されるものを採用し、電力モジュールに要求される仕様に応じて少なくとも一部のトランジスタおよび第２ダイオードが前記基板に搭載されてあるとともに、電力モジュールに要求される仕様に応じて少なくとも一部の第１ダイオードが前記基板に搭載されてあり、必要なジャンパー手段が設けられたものである。
請求項２３のＡＣ／ＡＣ電力変換のための電力モジュールは、前記３相コンバータとして、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成されるものを採用し、電力モジュールに要求される仕様に応じて少なくとも一部の第１ダイオードのみが前記基板に搭載されてあり、必要なジャンパー手段が設けられたものである。
請求項２４のＡＣ／ＡＣ電力変換のための電力モジュールは、少なくとも一部のダイオードのみが前記基板に搭載され、コンバータと平滑用コンデンサとの間にリアクトルを接続可能なジャンクション手段が設けられたものである。
請求項２５のＡＣ／ＡＣ電力変換のための電力モジュールは、少なくとも一部の第１ダイオードのみが前記基板に搭載され、コンバータと平滑用コンデンサとの間にリアクトルを接続可能なジャンクション手段が設けられたものである。
請求項２６のＡＣ／ＡＣ電力変換のための電力モジュールは、前記コンバータと並列にリアクトルが接続され、リアクトルと平滑用コンデンサとの間に逆接続の第３ダイオードが接続されたものである。
請求項２７のＡＣ／ＡＣ電力変換のための電力モジュールは、前記コンバータと並列に順接続の第４ダイオードが接続され、第４ダイオードと平滑用コンデンサとの間にリアクトルが接続されたものである。
請求項１のＡＣ／ＡＣ電力変換のための電力モジュールであれば、多相コンバータを構成する複数のコンバータ部品、複数個の平滑用コンデンサ、および多相インバータを構成する複数のインバータ部品が、必要な配線が形成されてある基板に搭載可能な電力モジュールであって、
電力モジュールに要求される仕様に応じて少なくとも一部のコンバータ部品、少なくとも一部の平滑用コンデンサ、および少なくとも一部のインバータ部品が前記基板に搭載されてあるとともに、必要なジャンパー手段が設けられてあるのであるから、多相−多相変換、単相−多相変換など、種々の電力モジュールを簡単に実現することができる。
請求項２のＡＣ／ＡＣ電力変換のための電力モジュールであれば、前記基板に搭載可能な前記多相コンバータとして３相コンバータを採用し、前記平滑コンデンサの数を２に設定し、前記多相インバータとして３相インバータを採用するのであるから、３相−３相変換、単相−３相変換など、種々の電力モジュールを簡単に実現することができる。
請求項３のＡＣ／ＡＣ電力変換のための電力モジュールであれば、前記３相コンバータが、各相毎に互いに直列接続される１対のトランジスタ、および各トランジスタと並列に接続されるダイオードで構成され、電力モジュールに要求される仕様に応じて少なくとも一部のダイオードのみ、および／または少なくとも一部のトランジスタおよびダイオードが前記基板に搭載されてあるとともに、必要なジャンパー手段が設けられてあるのであるから、３相−３相変換、単相−３相変換など、種々の電力モジュールをも簡単に実現することができる。
請求項４のＡＣ／ＡＣ電力変換のための電力モジュールであれば、前記３相インバータが、各相毎に互いに直列接続される１対のトランジスタ、および各トランジスタと並列に接続されるダイオードで構成され、電力モジュールに要求される仕様に応じて少なくとも一部のトランジスタおよびダイオードが前記基板に搭載されてあるとともに、必要なジャンパー手段が設けられてあるのであるから、電源高調波に関するＩＥＣ規制をクリアできる種々の電力モジュールをも簡単に実現することができる。
請求項５のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部のトランジスタおよびダイオードブリッジと第１ダイオードとが前記基板に搭載されてあるとともに、必要なジャンパー手段が設けられてあるのであるから、電源高調波に関するＩＥＣ規制をクリアできる種々の電力モジュールをも簡単に実現することができる。
請求項６のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部の第１ダイオードのみが前記基板に搭載されてあるとともに、必要なジャンパー手段が設けられてあるのであるから、３相−３相変換、単相−３相変換など、種々の電力モジュールをも簡単に実現することができる。
請求項７のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接統点が入出力点に設定されたダイオードブリッジとから構成され、電力モジュールに要求される仕様に応じて少なくとも一部のトランジスタおよびダイオードブリッジが前記基板に搭載されてあるとともに、電力モジュールに要求される仕様に応じて少なくとも一部の第１ダイオードが前記基板に搭載されてあり、必要なジャンパー手段が設けられてあるのであるから、電源高調波に関するＩＥＣ規制をクリアできる種々の電力モジュールをも簡単に実現することができる。
請求項８のＡＣ／ＡＣ電力変換のための電力モジュールであれば、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部のトランジスタおよび第２ダイオードが前記基板に搭載されてあるとともに、電力モジュールに要求される仕様に応じて少なくとも一部の第１ダイオードが前記基板に搭載されてあり、必要なジャンパー手段が設けられてあるのであるから、電源高調波に関するＩＥＣ規制をクリアできる種々の電力モジュールをも簡単に実現することができる。
請求項９のＡＣ／ＡＣ電力変換のための電力モジュールであれば、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部の第１ダイオードのみが前記基板に搭載されてあり、必要なジャンパー手段が設けられてあるのであるから、３相−３相変換、単相−３相変換など、種々の電力モジュールをも簡単に実現することができる。
請求項１０のＡＣ／ＡＣ電力変換のための電力モジュールであれば、少なくとも一部のダイオードのみが前記基板に搭載され、コンバータと平滑用コンデンサとの間にリアクトルが外付けされてあるのであるから、リアクトルにより電源高調波を低減できるとともに、請求項３または請求項６と同様の作用を達成することができる。
請求項１１のＡＣ／ＡＣ電力変換のための電力モジュールであれば、少なくとも一部の第１ダイオードのみが前記基板に搭載され、コンバータと平滑用コンデンサとの間にリアクトルが外付けされてあるのであるから、リアクトルにより電源高調波を低減できるとともに、請求項９と同様の作用を達成することができる。
請求項１２のＡＣ／ＡＣ電力変換のための電力モジュールであれば、前記コンバータと並列にリアクトルが接続され、リアクトルと平滑用コンデンサとの間に逆接続の第３ダイオードが接続されてあるのであるから、昇降圧を達成できるとともに、請求項８と同様の作用を達成することができる。
請求項１３のＡＣ／ＡＣ電力変換のための電力モジュールは、前記コンバータと並列に順接続の第４ダイオードが接続され、第４ダイオードと平滑用コンデンサとの間にリアクトルが接続されてあるのであるから、降圧を達成できるとともに、請求項８と同様の作用を達成することができる。
請求項１４のＡＣ／ＡＣ電力変換のための電力モジュールであれば、多相コンバータを構成する複数のコンバータ部品、および多相インバータを構成する複数のインバータ部品が、必要な配線が形成されてある基板に搭載可能な電力モジュールであって、
電力モジュールに要求される仕様に応じて少なくとも一部のコンバータ部品、および少なくとも一部のインバータ部品が前記基板に搭載されてあるとともに、必要なジャンパー手段が設けられてあるものであるから、多相−多相変換、単相−多相変換など、種々の電力モジュールを簡単に実現することができる。
請求項１５のＡＣ／ＡＣ電力変換のための電力モジュールは、平滑用コンデンサを接続可能なジャンクション手段をさらに含むのであるから、平滑用コンデンサが必要な場合にも対処することができ、請求項１４と同様の作用を達成することができる。
請求項１６のＡＣ／ＡＣ電力変換のための電力モジュールであれば、前記基板に搭載可能な前記多相コンバータとして３相コンバータを採用し、前記平滑コンデンサの数を２に設定し、前記多相インバータとして３相インバータを採用するのであるから、３相−３相変換、単相−３相変換など、種々の電力モジュールを簡単に実現することができる。
請求項１７のＡＣ／ＡＣ電力変換のための電力モジュールであれば、前記３相コンバータが、各相毎に互いに直列接続される１対のトランジスタ、および各トランジスタと並列に接続されるダイオードで構成され、電力モジュールに要求される仕様に応じて少なくとも一部のダイオードのみ、および／または少なくとも一部のトランジスタおよびダイオードが前記基板に搭載されてあるとともに、必要なジャンパー手段が設けられてあるのであるから、３相−３相変換、単相−３相変換など、種々の電力モジュールをも簡単に実現することができる。
請求項１８のＡＣ／ＡＣ電力変換のための電力モジュールであれば、前記３相インバータが、各相毎に互いに直列接続される１対のトランジスタ、および各トランジスタと並列に接続されるダイオードで構成され、電力モジュールに要求される仕様に応じて少なくとも一部のトランジスタおよびダイオードが前記基板に搭載されてあるとともに、必要なジャンパー手段が設けられてあるのであるから、電源高調波に関するＩＥＣ規制をクリアできる種々の電力モジュールをも簡単に実現することができる。
請求項１９のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部のトランジスタおよびダイオードブリッジと第１ダイオードとが前記基板に搭載されてあるとともに、必要なジャンパー手段が設けられてあるのであるから、電源高調波に関するＩＥＣ規制をクリアできる種々の電力モジュールをも簡単に実現することができる。
請求項２０のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部の第１ダイオードのみが前記基板に搭載されてあるとともに、必要なジャンパー手段が設けられてあるのであるから、３相−３相変換、単相−３相変換など、種々の電力モジュールをも簡単に実現することができる。
請求項２１のＡＣ／ＡＣ電力変換のための電力モジュールであれば、前記３相コンバータが、各相毎に互いに直列接続されるトランジスタおよび１対の逆接続の第１ダイオードと、トランジスタのエミッタ端子およびコレクタ端子に互いに対向する１対の接続点が接続され、他の１対の接続点が入出力点に設定されたダイオードブリッジとから構成され、電力モジュールに要求される仕様に応じて少なくとも一部のトランジスタおよびダイオードブリッジが前記基板に搭載されてあるとともに、電力モジュールに要求される仕様に応じて少なくとも一部の第１ダイオードが前記基板に搭載されてあり、必要なジャンパー手段が設けられてあるのであるから、電源高調波に関するＩＥＣ規制をクリアできる種々の電力モジュールをも簡単に実現することができる。
請求項２２のＡＣ／ＡＣ電力変換のための電力モジュールであれば、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部のトランジスタおよび第２ダイオードが前記基板に搭載されてあるとともに、電力モジュールに要求される仕様に応じて少なくとも一部の第１ダイオードが前記基板に搭載されてあり、必要なジャンパー手段が設けられてあるのであるから、電源高調波に関するＩＥＣ規制をクリアできる種々の電力モジュールをも簡単に実現することができる。
請求項２３のＡＣ／ＡＣ電力変換のための電力モジュールであれば、前記３相コンバータが、各相毎に互いに直列接続されるトランジスタおよび１対の順接続の第１ダイオードと、トランジスタのエミッタ端子とコレクタ端子との間に互いに直列接続された１対の逆接続の第２ダイオードとから構成され、電力モジュールに要求される仕様に応じて少なくとも一部の第１ダイオードのみが前記基板に搭載されてあり、必要なジャンパー手段が設けられてあるのであるから、３相−３相変換、単相−３相変換など、種々の電力モジュールをも簡単に実現することができる。
請求項２４のＡＣ／ＡＣ電力変換のための電力モジュールであれば、少なくとも一部のダイオードのみが前記基板に搭載され、コンバータと平滑用コンデンサとの間にリアクトルが外付けされてあるのであるから、リアクトルにより電源高調波を低減できるとともに、請求項１７または請求項２０と同様の作用を達成することができる。
請求項２５のＡＣ／ＡＣ電力変換のための電力モジュールであれば、少なくとも一部の第１ダイオードのみが前記基板に搭載され、コンバータと平滑用コンデンサとの間にリアクトルが外付けされてあるのであるから、リアクトルにより電源高調波を低減できるとともに、請求項２３と同様の作用を達成することができる。
請求項２６のＡＣ／ＡＣ電力変換のための電力モジュールであれば、前記コンバータと並列にリアクトルが接続され、リアクトルと平滑用コンデンサとの間に逆接続の第３ダイオードが接続されてあるのであるから、昇降圧を達成できるとともに、請求項２２と同様の作用を達成することができる。
請求項２７のＡＣ／ＡＣ電力変換のための電力モジュールは、前記コンバータと並列に順接続の第４ダイオードが接続され、第４ダイオードと平滑用コンデンサとの間にリアクトルが接続されてあるのであるから、降圧を達成できるとともに、請求項２２と同様の作用を達成することができる。
【図面の簡単な説明】  第１図は、従来の３相−３相電力モジュールを示す電気回路図である。
第２図は、従来のアクティブフィルタ電力モジュールを示すブロック図である。
第３図は、第１のタイプの電力モジュールの基礎的トポロジーを示す電気回路図である。
第４図は、第１のタイプの電力モジュールの一構成例を示す概略図である。
第５図は、第１のタイプの電力モジュールの他の構成例を示す概略図である。
第６図は、第１のタイプの電力モジュールのさらに他の構成例を示す概略図である。
第７図は、第１のタイプの電力モジュールのさらに他の構成例を示す概略図である。
第８図は、第１のタイプの電力モジュールのさらに他の構成例を示す概略図である。
第９図は、第１のタイプの電力モジュールのさらに他の構成例を示す概略図である。
第１０図は、第１のタイプの電力モジュールのさらに他の構成例を示す概略図である。
第１１図は、第１のタイプの電力モジュールのさらに他の構成例を示す概略図である。
第１２図は、第１のタイプの電力モジュールのさらに他の構成例を示す概略図である。
第１３図は、第２のタイプの電力モジュールの基礎的トポロジーを示す電気回路図である。
第１４図は、第２のタイプの電力モジュールの一構成例を示す概略図である。
第１５図は、第２のタイプの電力モジュールの他の構成例を示す概略図である。
第１６図は、第２のタイプの電力モジュールのさらに他の構成例を示す概略図である。
第１７図は、第２のタイプの電力モジュールのさらに他の構成例を示す概略図である。
第１８図は、第２のタイプの電力モジュールのさらに他の構成例を示す概略図である。
第１９図は、第２のタイプの電力モジュールのさらに他の構成例を示す概略図である。
第２０図は、第２のタイプの電力モジュールのさらに他の構成例を示す概略図である。
第２１図は、第３のタイプの電力モジュールの基礎的トポロジーを示す電気回路図である。
第２２図は、第３のタイプの電力モジュールの一構成例を示す概略図である。
第２３図は、第３のタイプの電力モジュールの他の構成例を示す概略図である。
第２４図は、第３のタイプの電力モジュールのさらに他の構成例を示す概略図である。
第２５図は、第３のタイプの電力モジュールのさらに他の構成例を示す概略図である。
第２６図は、第３のタイプの電力モジュールのさらに他の構成例を示す概略図である。
第２７図は、第３のタイプの電力モジュールのさらに他の構成例を示す概略図である。
第２８図は、第３のタイプの電力モジュールのさらに他の構成例を示す概略図である。
第２９図は、第３のタイプの電力モジュールのさらに他の構成例を示す概略図である。
第３０図は、第３のタイプの電力モジュールのさらに他の構成例を示す概略図である。
第３１図は、第３のタイプの電力モジュールのさらに他の構成例を示す概略図である。
第３２図は、図４の電力モジュールの変更例を示す概略図である。
第３３図は、図５の電力モジュールの変更例を示す概略図である。
第３４図は、図６の電力モジュールの変更例を示す概略図である。
第３５図は、図７の電力モジュールの変更例を示す概略図である。
第３６図は、図８の電力モジュールの変更例を示す概賂図である。
第３７図は、図９の電力モジュールの変更例を示す概略図である。
第３８図は、図１０の電力モジュールの変更例を示す概略図である。
第３９図は、図１１の電力モジュールの変更例を示す概略図である。
第４０図は、図１２の電力モジュールの変更例を示す概略図である。
第４１図は、図１４の電力モジュールの変更例を示す概略図である。
第４２図は、図１５の電力モジュールの変更例を示す概略図である。
第４３図は、図１６の電力モジュールの変更例を示す概略図である。
第４４図は、図１７の電力モジュールの変更例を示す概略図である。
第４５図は、図１８の電力モジュールの変更例を示す概略図である。
第４６図は、図１９の電力モジュールの変更例を示す概略図である。
第４７図は、図２０の電力モジュールの変更例を示す概略図である。
第４８図は、図２２の電力モジュールの変更例を示す概略図である。
第４９図は、図２３の電力モジュールの変更例を示す概略図である。
第５０図は、図２４の電力モジュールの変更例を示す概略図である。
第５１図は、図２６の電力モジュールの変更例を示す概略図である。
第５２図は、図２７の電力モジュールの変更例を示す概略図である。
第５３図は、図２８の電力モジュールの変更例を示す概略図である。
第５４図は、図２９の電力モジュールの変更例を示す概略図である。
【発明を実施するための最良の形態】  以下、添付図面を参照して、この発明のＡＣ／ＡＣ電力変換のための電力モジュールの実施の態様を詳細に説明する。
この発明は、３つのタイプのＡＣ／ＡＣ電力変換のための電力モジュールから成る。
（Ａ）第１のタイプは、昇圧タイプ・トポロジーに基づくものである。
（Ｂ）第２のタイプは、昇圧３レベル・タイプ・トポロジーに基づくものである。
（Ｃ）第３のタイプは、バック／ブースト電流タイプ・トポロジーに基づくものである。
提案された３つの電力モジュールの各々が、必要な、もしくは不必要な別個のデバイスのそれぞれを加えまたは除去するだけで、異なる状況において使われることができる。
（Ａ）第１のタイプ：
第３図は定電圧、定周波数の３相ＡＣ電源を可変電圧、可変周波数制御システムを伴う３相ＡＣ出力電力源に変換する基本的電力変換構築モジュールを示す。この基本的電力変換構築モジュールは、互いに直列接続された１対のＩＧＢＴスイッチ１を３相分互いに並列接続し、各ＩＧＢＴスイッチ１と並列に第１ダイオード２を逆極性で接続してなるＡＣ／ＤＣ変換部（コンバータ）１０と、互いに直列接続された１対のＩＧＢＴスイッチ３を３相分互いに並列接続し、各ＩＧＢＴスイッチ３と並列にダイオード４を逆極性で接続してなるＤＣ／ＡＣ変換部（インバータ）２０と、コンバータ１０とインバータ２０との間に接続された平滑用コンデンサ５と、コンバータ１０の各対のＩＧＢＴスイッチ１の接続点と図示しない交流電源の各相出力端子との間に接続されるリアクトル６とを有している。そして、必要に応じて入力端子どうしの間にコンデンサ７を接続している。
第４図に示すように、提案された３相−３相のシステムは、集積されたＩＧＢＴ標準モジュールと同様に、表面取付ＩＧＢＴデバイスを用いて１つのモジュールに集積される。表面取付ＩＧＢＴデバイスは、表１に示される入力および出力条件にしたがって設計される。
2004012325.tif 000003
提案された３相−３相の電力モジュールは、以下のような特定のアプリケーションの条件にしたがって、表面取付電力デバイスのタイプだけを変えることによって修正されることができる。なお、以下の各図において、太い実線がジャンパー線を表している。
（１）第４図の３相−３相の電力モジュールは、１２個の表面取付ダイオード２、４と表面取付ＩＧＢＴスイッチ１、３から構成されている。なお、一方の表面取付平滑用コンデンサ５が省略されている。そして、ＩＧＢＴスイッチ１、３を制御することによって、送電設備網側の高調波電流を減少させ、ＤＣリンク電圧を制御し、負荷から電源まで電力を回生させることができる。
第３２図の３相−３相の電力モジュールが第４図の電力モジュールと異なる点は、ジャンクション部（引き出し接続線）を介して平滑用コンデンサ５が外付けされた点のみである。したがって、ＩＧＢＴスイッチ１、３を制御することによって、送電設備網側の高調波電流を減少させ、ＤＣリンク電圧を制御し、負荷から電源まで電力を回生させることができる。
（２）第７図の３相−３相電力モジュールは、コンバータ１０としての送電設備網側の６つの表面取付ダイオード２と、インバータ２０としての負荷側の４つの表面取付ダイオード４および表面取付ＩＧＢＴスイッチ３とから構成されている。この構成は、効率だけが考慮されるアプリケーションのために採用される。なお、コンバータ１０の入力側にリアクトル６を設ける代わりに、コンバータ１０と平滑用コンデンサ５との間にリアクトル８が外付けされている。
第３５図の３相−３相の電力モジュールが第７図の電力モジュールと異なる点は、ジャンクション部（引き出し接続線）を介して平滑用コンデンサ５が外付けされた点のみである。したがって、この構成も、効率だけが考慮されるアプリケーションのために採用される。
（３）第５図の３相−３相電力モジュールは、１０個の表面取付ＩＧＢＴスイッチ１、３から構成されている。６つのＩＧＢＴスイッチ１が送電設備網側コンバータ１０にあり、４つのＩＧＢＴスイッチ３が負荷側インバータ２０にある。そして、ＩＧＢＴスイッチ１、３を制御することによって、送電設備網側の高調波電流を減少させ、ＤＣリンク電圧を制御し、負荷から電源まで電力を回生させることができる。また、負荷側の２つのＩＧＢＴスイッチ３を減少させることによりスイッチング損失を減少させ、効率を増加させることができる。
第３３図の３相−３相の電力モジュールが第５図の電力モジュールと異なる点は、ジャンクション部（引き出し接続線）を介して平滑用コンデンサ５が外付けされた点のみである。したがって、ＩＧＢＴスイッチ１、３を制御することによって、送電設備網側の高調波電流を減少させ、ＤＣリンク電圧を制御し、負荷から電源まで電力を回生させることができる。また、負荷側の２つのＩＧＢＴスイッチ３を減少させることによりスイッチング損失を減少させ、効率を増加させることができる。
（４）第６図の３相−３相電力モジュールは、８つの表面取付ＩＧＢＴスイッチ１、３から構成されている。４つのＩＧＢＴスイッチ１が送電設備網側コンバータ１０にあり、４つのＩＧＢＴスイッチ３が負荷側インバータ２０にある。また、２つの平滑用コンデンサ５を互いに直列接続しているので、倍電圧動作を行うことができる。そして、ＩＧＢＴスイッチ１、３を制御することによって、送電設備網側の高調波電流を減少させ、ＤＣリンク電圧を制御し、負荷から電源まで電力を回生させることができる。また、送電設備網側および負荷側の４つのＩＧＢＴスイッチ１、３を減少させることによりスイッチング損失を減少させ、効率を増加させることができる。
第３４図の３相−３相の電力モジュールが第６図の電力モジュールと異なる点は、ジャンクション部（引き出し接続線）を介して平滑用コンデンサ５が外付けされた点のみである。したがって、ＩＧＢＴスイッチ１、３を制御することによって、送電設備網側の高調波電流を減少させ、ＤＣリンク電圧を制御し、負荷から電源まで電力を回生させることができる。また、送電設備網側および負荷側の４つのＩＧＢＴスイッチ１、３を減少させることによりスイッチング損失を減少させ、効率を増加させることができる。
上記の３相−３相電力モジュールは、以下のような特定のアプリケーションの条件にしたがって、表面取付電力デバイスのタイプだけを変えることによって単相−３相の電力モジュールに修正することができる。
（１）第８図の単相−３相電力モジュールは、送電設備網側コンバータ１０の４つの表面取付ダイオード２と、負荷側インバータ２０の６つの表面取付ダイオード４および６つの表面取付ＩＧＢＴスイッチ３から構成されている。第８図に示すように、この電力モジュールは、出力電圧を増加させるために倍電圧トポロジーを使用した（１対の表面取付平滑用コンデンサ５を直列接続した）。入力電源が低く（例えば、日本では１００Ｖ）、ＩＥＣ規制が有効でないアプリケーションのために採用される。なお、コンバータ１０の入力側にリアクトル６を設ける代わりに、コンバータ１０と平滑用コンデンサ５との間にリアクトル８が外付けされている。
第３６図の単相−３相電力モジュールが第８図の単相−３相電力モジュールと異なる点は、ジャンクション部（引き出し接続線）を介して平滑用コンデンサ５が外付けされた点のみである。したがって、入力電源が低く（例えば、日本では１００Ｖ）、ＩＥＣ規制が有効でないアプリケーションのために採用される。
（２）第９図の単相−３相電力モジュールは、送電設備網側コンバータ１０の４つの表面取付ダイオード２と、負荷側インバータ２０の６つの表面取付ダイオード４および６つの表面取付ＩＧＢＴスイッチ３とから構成されている。ＩＥＣ規制が有効でないアプリケーションのために採用される。なお、コンバータ１０の入力側にリアクトル６を設ける代わりに、コンバータ１０と平滑用コンデンサ５との間にリアクトル８が外付けされている。
第３７図の単相−３相電力モジュールが第９図の単相−３相電力モジュールと異なる点は、ジャンクション部（引出し接続線）を介して平滑用コンデンサ５が外付けされた点のみである。したがって、ＩＥＣ規制が有効でないアプリケーションのために採用される。なお、コンバータ１０の入力側にリアクトル６を設ける代わりに、コンバータ１０と平滑用コンデンサ５との間にリアクトル８が外付けされている。
（３）第１０図の単相−３相電力モジュールは、送量設備網側コンバータ１０の２つの表面取付ダイオード２、および２つの表面取付ＩＧＢＴスイッチ１と、負荷側インバータ２０の６つの表面取付ダイオード４，および６つの表面取付ＩＧＢＴスイッチ３とから構成されている。第１０図に示すように、この電力モジュールは、出力電圧を増加させるために倍電圧トポロジーを用いた（１対の表面取付平滑用コンデンサ５を直列接続した）。入力電源が低く（例えば、日本では１００Ｖ）、ＩＥＣ規制が有効なアプリケーションのために採用される。
第３８図の単相−３相電力モジュールが第１０図の単相−３相電力モジュールと異なる点は、ジャンクション部（引き出し接続線）を介して平滑用コンデンサ５が外付けされた点のみである。したがって、入力電源が低く（例えば、日本では１００Ｖ）、ＩＥＣ規制が有効なアプリケーションのために採用される。
（４）第１１図の単相−３相電力モジュールは、送電設備網側コンバータ１０の４つの表面取付ＩＧＢＴスイッチ１、および４つの表面取付ダイオード２と、負荷側インバータ２０の６つの表面取付ＩＧＢＴスイッチ３、および６つの表面取付ダイオード４から構成されている。ＩＥＣ規制が有効でないアプリケーションのために採用される。
第３９図の単相−３相電力モジュールが第１１図の単相−３相電力モジュールと異なる点は、ジャンクション部（引き出し接続線）を介して平滑用コンデンサ５が外付けされた点のみである。したがって、ＩＥＣ規制が有効でないアプリケーションのために採用される。
（５）第１２図の単相−３相電力モジュールは、送電設備網側コンバータ１０の２つの表面取付ＩＧＢＴスイッチ１、および２つの表面取付ダイオード２と、負荷側インバータ２０の４つの表面取付ＩＧＢＴスイッチ３，および４つの表面取付ダイオード４とから構成されている。第１２図に示すように、この電力モジュールは、出力電圧を増加させるために倍電圧トポロジーを用いた（１対の表面取付平滑用コンデンサ５を直列接続した）。入力電源が低く（例えば、日本のマーケットにおける１００Ｖ）、ＩＥＣ規制が有効なアプリケーションのために採用される。
第４０図の単相−３相電力モジュールが第１２図の単相−３相電力モジュールと異なる点は、ジャンクション部（引き出し接続線）を介して平滑用コンデンサ５が外付けされた点のみである。したがって、入力電源が低く（例えば、日本のマーケットにおける１００Ｖ）、ＩＥＣ規制が有効なアプリケーションのために採用される。
第１３図は定電圧、定周波数の３相ＡＣ電源を可変電圧、可変周波数制御システムを伴う３相ＡＣ出力電力源に変換する基本的電力変換構築モジュールを示す。この基本的電力変換構築モジュールは、１つのＩＧＢＴスイッチ１１と、２つの逆接続のダイオード１２とを各相ごとに互いに直列接続し、ＩＧＢＴスイッチ１１のエミッタ端子、コレクタ端子に対向する接続点が接続され、他の対向する接続点が入力端子、出力端子に設定されたダイオードブリッジ１３を設けることにより送電設備網側コンバータ１０を構成している。そして、倍電圧動作を行わせるために１対の平滑用コンデンサ５を直列接続している。なお、負荷側インバータ２０の構成は第４図の電力モジュールの負荷側インバータ２０と同じであるからここでは説明を省略する。
第１４図に示すように、この３相−３相電力システムは、集積されたＩＧＢＴ標準モジュールと同様に、表面取付ＩＧＢＴデバイスを用いて１つのモジュールに集積される。表面取付ＩＧＢＴデバイスは、表２に示される入力および出力条件にしたがって設計される。
2004012325.tif 000004
この３相−３相電力モジュールは、以下のような特定のアプリケーションの条件にしたがって、表面取付電力デバイスのタイプだけを変えることによって修正されることができる。
（１）第１４図の３相−３相電力モジュールは、送電設備網側コンバータの１８個の表面取付ダイオード１２、１３および３つの表面取付ＩＧＢＴスイッチ１１と、負荷側インバータ２０の６つの表面取付ダイオード４および６つの表面取付ＩＧＢＴスイッチ３とから構成されている。表面取付ＩＧＢＴスイッチ１１を制御することによって、送電設備網側の高調波電流を減少させ、負荷側インバータ２０のＩＧＢＴスイッチ１１の定格電流を低減するためにＤＣリンク電圧を制御することができる。
第４１図の３相−３相電力モジュールが第１４図の３相−３相電力モジュールと異なる点は、ジャンクション部（引き出し接続線）を介して平滑用コンデンサ５が外付けされた点のみである。したがって、表面取付ＩＧＢＴスイッチ１１を制御することによって、送電設備網側の高調波電流を減少させ、負荷側インバータ２０のＩＧＢＴスイッチ１１の定格電流を低減するためにＤＣリンク電圧を制御することができる。
（２）第１５図の３相−３相電力モジュールは、送電設備網側コンバータ１０の６つの表面取付ダイオード１２と、負荷側インバータ２０の６つの表面取付ダイオード４および６つの表面取付ＩＧＢＴスイッチ３とから構成されている。効率のみが考慮されるアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
第４２図の３相−３相電力モジュールが第１５図の３相−３相電力モジュールと異なる点は、ジャンクション部（引き出し接続線）を介して平滑用コンデンサ５が外付けされた点のみである。したがって、効率のみが考慮されるアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
（３）第１６図の３相−３相電力モジュールは、送電設備網側コンバータ１０の１８個の表面取付ダイオード１２、１３および３つの表面取付ＩＧＢＴスイッチ１１と、負荷側インバータ２０の４つの表面取付ダイオード４および４つの表面取付ＩＧＢＴスイッチ３と、倍電圧用の１対の平滑用コンデンサ５とから構成されている。３つの表面取付ＩＧＢＴスイッチ１１を制御することによって、送電設備網側の高調波電流を減少させ、負荷側インバータのＩＧＢＴの定格電流を低減するためにＤＣリンク電圧を制御することができる。そして、負荷側インバータ２０のＩＧＢＴスイッチ３の数を減少させることによりスイッチング損失を減少させ、効率を増加させることができる。
第４３図の３相−３相電力モジュールが第１６図の３相−３相電力モジュールと異なる点は、ジャンクション部（引き出し接続線）を介して平滑用コンデンサ５が外付けされた点のみである。したがって、３つの表面取付ＩＧＢＴスイッチ１１を制御することによって、送電設備網側の高調波電流を減少させ、負荷側インバータのＩＧＢＴの定格電流を低減するためにＤＣリンク電圧を制御することができる。
（４）第１７図の３相−３相電力モジュールは、送電設備網側コンバータ１０の１２個の表面取付ダイオード１２、１３および２つの表面取付ＩＧＢＴスイッチ１１と、負荷側インバータ２０の６つの表面取付ダイオード４および６つの表面取付ＩＧＢＴスイッチ３と、倍電圧用の１対の平滑用コンデンサ５とから構成されている。２つの表面取付ＩＧＢＴスイッチ１１を制御することにより送電設備網側の高調波電流を減少させ、負荷側インバータのＩＧＢＴスイッチの定格電流を低減するためにＤＣリンク電圧を制御することができる。そして、送電設備網側コンバータ１０の能動スイッチの総数を減少させることによりスイッチング損失を減少させ、効率を増加させることができる。
第４４図の３相−３相電力モジュールが第１７図の３相−３相電力モジュールと異なる点は、ジャンクション部（引き出し接続線）を介して平滑用コンデンサ５が外付けされた点のみである。したがって、２つの表面取付ＩＧＢＴスイッチ１１を制御することにより送電設備網側の高調波電流を減少させ、負荷側インバータのＩＧＢＴスイッチの定格電流を低減するためにＤＣリンク電圧を制御することができる。そして、送電設備網側コンバータ１０の能動スイッチの総数を減少させることによりスイッチング損失を減少させ、効率を増加させることができる。
この３相−３相の電力モジュールは、以下のような特定のアプリケーションの条件にしたがって、表面取付電力デバイスのタイプだけを変えることによって単相−３相の電力モジュールに修正されることができる。
（１）第１８図の単相−３相の電力モジュールは、送電設備網側コンバータ１０の８つの表面取付ダイオード１２、１３および１つの表面取付ＩＧＢＴスイッチ１１と、負荷側インバータ２０の６つの表面取付ダイオード４および６つの表面取付ＩＧＢＴスイッチ３と、倍電圧用の１対の平滑用コンデンサ５とから構成されている。１つの表面取付ＩＧＢＴスイッチ１１を制御することによって、送電設備網側の高調波電流を減少させ、負荷側インバータのＩＧＢＴスイッチ３およびダイオード４の定格電流を低減するためにＤＣリンク電圧を制御することができる。そして、ＩＥＣ規制が有効な、低入力電圧アプリケーションのために採用される。
第４５図の単相−３相の電力モジュールが第１８図の単相−３相の電力モジュールと異なる点は、ジャンクション部（引き出し接続線）を介して平滑用コンデンサ５が外付けされた点のみである。したがって、１つの表面取付ＩＧＢＴスイッチ１１を制御することによって、送電設備網側の高調波電流を減少させ、負荷側インバータのＩＧＢＴスイッチ３およびダイオード４の定格電流を低減するためにＤＣリンク電圧を制御することができる。そして、ＩＥＣ規制が有効な、低入力電圧アプリケーションのために採用される。
（２）第１９図の単相−３相の電力モジュールは、送電設備網側コンバータ１０の４つの表面取付ダイオード１２と、負荷側インバータ２０の６つの表面取付ダイオード、および６つのＩＧＢＴスイッチ３とから構成されている。ＩＥＣ規制が有効でないアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
第４６図の単相−３相の電力モジュールが第１９図の単相−３相の電力モジュールと異なる点は、ジャンクション部（引き出し接続線）を介して平滑用コンデンサ５が外付けされた点のみである。したがって、ＩＥＣ規制が有効でないアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
（３）第２０図の単相−３相の電力モジュールは、送電設備網側コンバータ１０の８つの表面搭載ダイオード１２、１３および１つの表面取付ＩＧＢＴスイッチ１１と、負荷側インバータ２０の４つの表面取付ダイオード４および４つの表面取付ＩＧＢＴスイッチ３とから構成されている。この１つの表面取付ＩＧＢＴスイッチ１１を制御することにより、送電設備網側の高調波電流を減少させ、負荷側インバータ２０のＩＧＢＴスイッチ３およびダイオード４の定格電流を低減するためにＤＣリンク電圧を制御することができる。両側の能動スイッチの総数を減少させることによりスイッチング損失を減少させ、効率を増加させることができる。そして、ＩＥＣ規制が有効なアプリケーションのために採用される。
第４７図の単相−３相の電力モジュールが第２０図の単相−３相の電力モジュールと異なる点は、ジャンクション部（引き出し接続線）を介して平滑用コンデンサ５が外付けされた点のみである。したがって、１つの表面取付ＩＧＢＴスイッチ１１を制御することにより、送電設備網側の高調波電流を減少させ、負荷側インバータ２０のＩＧＢＴスイッチ３およびダイオード４の定格電流を低減するためにＤＣリンク電圧を制御することができる。両側の能動スイッチの総数を減少させることによりスイッチング損失を減少させ、効率を増加させることができる。そして、ＩＥＣ規制が有効なアプリケーションのために採用される。
第２１図は定電圧、定周波数の３相ＡＣ電源を可変電圧、可変周波数制御システムを伴う３相ＡＣ出力電力源に変換する基本的電力変換構築モジュールを示す。この基本的電力変換構築モジュールが第１３図の基本的電力変換構築モジュールと異なる点は、逆接続のダイオード１２に代えて、順接続の１対のダイオード１４を採用した点、ダイオードブリッジ１３に代えて、ＩＧＢＴスイッチ１１のエミッタ端子、コレクタ端子の間に逆極性で直列接続され、接続端子を入力側リアクトルに接続された１対のダイオード１５を設けた点、表面取付ＩＧＢＴスイッチ１１および順接続の１対のダイオード１４の直列回路と並列にリアクトル１６を接続し、このリアクトル１６と平滑用コンデンサ５との間に接続された逆接続のダイオード１７を設けている。
第２２図に示すように、提案された３相−３相のシステムは、集積されたＩＧＢＴ標準モジュールと同様に、表面取付ＩＧＢＴおよびダイオード・デバイスを用いて１つのモジュールに集積される。表面取付ＩＧＢＴおよびダイオード・デバイスは、表３に示される入力および出力条件にしたがって設計される。
2004012325.tif 000005
2004012325.tif 000006
提案された３相−３相の電力モジュールは、以下のような特定のアプリケーションの条件にしたがって、表面取付電力デバイスのタイプだけを変えることによって修正されることができる。
（１）第２２図に示す３相−３相電力モジュールは、バック・ブースト・タイプのコンバータ１０を構成する送電設備網側の１３個の表面取付ダイオード１４、１５および３つの表面取付ＩＧＢＴスイッチ１１と、負荷側のインバータ２０の６つの表面取付ダイオード４および６つの表面取付ＩＧＢＴスイッチ３とから構成される。３つのＩＧＢＴスイッチ１１を制御することにより、送電設備網側の高調波電流を減少させ、パルス振幅変調（ＰＡＭ）制御を仮定するためにＤＣリンク電圧をゼロ・ボルトから最大入力電圧を越えるまで制御することができる。また、高電力領域でＤＣ電圧を増加させることにより、負荷側インバータのＩＧＢＴスイッチ３、ダイオード４の定格電流を減少させることができる。表面取付ＩＧＢＴスイッチ１１および順接続の１対のダイオード１４の直列回路と並列にリアクトル１６を接続し、このリアクトル１６と平滑用コンデンサ５との間にダイオード１７を逆接続している。したがって、昇降圧動作を行わせることができる。なお、入力側にリアクトル６を接続しているとともに、入力側の端子間にコンデンサ７を接続している。
第４８図の単相−３相の電力モジュールが第２２図の単相−３相の電力モジュールと異なる点は、ジャンクション部（引き出し接続線）を介して平滑用コンデンサ５およびリアクトル１６が外付けされた点のみである。したがって、３つのＩＧＢＴスイッチ１１を制御することにより、送電設備網側の高調波電流を減少させ、パルス振幅変調（ＰＡＭ）制御を仮定するためにＤＣリンク電圧をゼロ・ボルトから最大入力電圧を越えるまで制御することができる。また、高電力領域でＤＣ電圧を増加させることにより、負荷側インバータのＩＧＢＴスイッチ３、ダイオード４の定格電流を減少させることができる。表面取付ＩＧＢＴスイッチ１１および順接続の１対のダイオード１４の直列回路と並列にリアクトル１６を接続し、このリアクトル１６と平滑用コンデンサ５との間にダイオード１７を逆接続している。したがって、昇降圧動作を行わせることができる。なお、入力側にリアクトル６を接続しているとともに、入力側の端子間にコンデンサ７を接続している。
（２）第２３図に示す３相−３相電力モジュールは、バック・タイプのコンバータ１０を構成する送電設備網側の１３の表面取付ダイオードおよび３つの表面取付ＩＧＢＴスイッチ１１と、負荷側の６つの表面取付ダイオード４および６つの表面取付ＩＧＢＴスイッチ３とから構成される。３つのＩＧＢＴスイッチ１１を制御することにより、送電設備網側の高調波電流を減少させ、パルス振幅変調（ＰＡＭ）制御を仮定するためにＤＣリンク電圧をゼロ・ボルトから最大入力電圧を越えるまで制御し、高電力領域でＤＣ電圧を増加させることにより、負荷側インバータのＩＧＢＴスイッチ３、ダイオード４の定格電流を減少させることができる。表面取付ＩＧＢＴスイッチ１１および順接続の１対のダイオード１４の直列回路と並列にダイオード１８を接続し、このダイオード１８と平滑用コンデンサ５との間にリアクトル１９を接続している。したがって、降圧動作を行わせることができる。なお、入力側にリアクトル６を接続しているとともに、入力側の端子間にコンデンサ７を接続している。
第４９図の単相−３相の電力モジュールが第２３図の単相−３相の電力モジュールと異なる点は、ジャンクション部（引き出し接続線）を介して平滑用コンデンサ５が外付けされた点のみである。したがって、３つのＩＧＢＴスイッチ１１を制御することにより、送電設備網側の高調波電流を減少させ、パルス振幅変調（ＰＡＭ）制御を仮定するためにＤＣリンク電圧をゼロ・ボルトから最大入力電圧を越えるまで制御し、高電力領域でＤＣ電圧を増加させることにより、負荷側インバータのＩＧＢＴスイッチ３、ダイオード４の定格電流を減少させることができる。表面取付ＩＧＢＴスイッチ１１および順接続の１対のダイオード１４の直列回路と並列にダイオード１８を接続し、このダイオード１８と平滑用コンデンサ５との間にリアクトル１９を接続している。したがって、降圧動作を行わせることができる。なお、入力側にリアクトル６を接続しているとともに、入力側の端子間にコンデンサ７を接続している。
（３）第２４図に示す３相−３相電力モジュールは、送電設備網側コンバータ１０の６つの表面取付ダイオード１４と、負荷側の６つの表面取付ダイオード４および６つの表面取付ＩＧＢＴスイッチ３とから構成される。効率だけが考慮されるアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
第５０図の単相−３相の電力モジュールが第２４図の単相−３相の電力モジュールと異なる点は、ジャンクション部（引き出し接続線）を介して平滑用コンデンサ５が外付けされた点のみである。したがって、効率だけが考慮されるアプリケーションのために採用される。なお、送電設備網側コンバータ１０の入力側にリアクトル６を設ける代わりに、送電設備網側コンバータ１０と平滑用コンデンサ５との間にリアクトル８が外付けされている。
（４）第２５図に示す３相−３相電力モジュールは、第２３図の回路の拡張バージョンである。具体的には、リアクトル１８および平滑用コンデンサ５が省略されている。回路トポロジーからリアクトルとコンデンサを完全に削除するために採用される。ＩＥＣ規制が有効であるアプリケーションのために提案される。
提案された３相−３相の電力モジュールは、以下のような特定のアプリケーションの条件にしたがって、表面取付電力デバイスのタイプだけを変えることによって単相−３相の電力モジュールに修正されることができる。
（１）第２６図に示す単相−３相電力モジュールは、バック・ブースト・タイプのコンバータ１０を構成する送電設備網側の８つの表面取付ダイオード１４、１５および２つの表面取付ＩＧＢＴスイッチ１１と、負荷側インバータ２０の６つの表面取付ダイオード４および６つの表面取付ＩＧＢＴスイッチ３とから構成される。２つの表面取付ＩＧＢＴスイッチ１１を制御することにより、送電設備網側の高調波電流を減少させ、ＩＥＣ規制が有効なアプリケーションのために、負荷側インバータのＩＧＢＴおよびダイオードの定格電流を減少させるためＤＣリンク電圧を制御することができる。表面取付ＩＧＢＴスイッチ１１および順接続の１対のダイオード１４の直列回路と並列にリアクトル１６を接続し、このリアクトル１６と平滑用コンデンサ５との間にダイオード１７を逆接続している。したがって、昇降圧動作を行わせることができる。なお、入力側にリアクトル６を接続しているとともに、入力側の端子間にコンデンサ７を接続している。
第５１図の単相−３相の電力モジュールが第２６図の単相−３相の電力モジュールと異なる点は、ジャンクション部（引き出し接続線）を介して平滑用コンデンサ５およびリアクトル１６が外付けされた点のみである。したがって、２つの表面取付ＩＧＢＴスイッチ１１を制御することにより、送電設備網側の高調波電流を減少させ、ＩＥＣ規制が有効なアプリケーションのために、負荷側インバータのＩＧＢＴおよびダイオードの定格電流を減少させるためＤＣリンク電圧を制御することができる。表面取付ＩＧＢＴスイッチ１１および順接続の１対のダイオード１４の直列回路と並列にリアクトル１６を接続し、このリアクトル１６と平滑用コンデンサ５との間にダイオード１７を逆接続している。したがって、昇降圧動作を行わせることができる。なお、入力側にリアクトル６を接続しているとともに、入力側の端子間にコンデンサ７を接続している。
（２）第２７図の単相−３相電力モジュールは、バック・タイプのコンバータ１０を構成する送電設備網側の８つの表面取付ダイオード１４、１５および２つの表面取付ＩＧＢＴスイッチ１１と、負荷側インバータ２０の６つの表面取付ダイオード４および６つの表面取付ＩＧＢＴスイッチ３とから構成される。２つの表面取付ＩＧＢＴスイッチ１１を制御することにより、送電設備網側の高調波電流を減少させ、ＩＥＣ規制が有効なアプリケーションのために、負荷側インバータのＩＧＢＴおよびダイオードの定格電流を減少させるためＤＣリンク電圧を制御することができる。表面取付ＩＧＢＴスイッチ１１および順接続の１対のダイオード１４の直列回路と並列にダイオード１８を接続し、このダイオード１８と平滑用コンデンサ５との間にリアクトル１９を接続している。したがって、降圧動作を行わせることができる。なお、入力側にリアクトル６を接続しているとともに、入力側の端子間にコンデンサ７を接続している。
第５２図の単相−３相の電力モジュールが第２７図の単相−３相の電力モジュールと異なる点は、ジャンクション部（引き出し接続線）を介して平滑用コンデンサ５が外付けされた点のみである。したがって、降圧動作を行わせることができる。なお、入力側にリアクトル６を接続しているとともに、入力側の端子間にコンデンサ７を接続している。
（３）第２８図の単相−３相電力モジュールは、バック・ブースト・タイプのコンバータ１０を構成する送電設備網側の６つの表面取付ダイオード１４、１５および１つの表面取付ＩＧＢＴスイッチ１１と、負荷側インバータ２０の６つの表面取付ダイオード４および６つの表面取付ＩＧＢＴスイッチ３とから構成される。１つの表面取付ＩＧＢＴスイッチ１１を制御することにより、送電設備網側の高調波電流を減少させ、ＩＥＣ規制が有効なアプリケーションのために、負荷側インバータのＩＧＢＴおよびダイオードの定格電流を減少させるためＤＣリンク電圧を制御することができる。表面取付ＩＧＢＴスイッチ１１および順接続の１対のダイオード１４の直列回路と並列にリアクトル１６を接続し、このリアクトル１６と平滑用コンデンサ５との間にダイオード１７を逆接続している。したがって、昇降圧動作を行わせることができる。なお、入力側にリアクトル６を接続しているとともに、入力側の端子間にコンデンサ７を接続している。
第５３図の単相−３相の電力モジュールが第２８図の単相−３相の電力モジュールと異なる点は、ジャンクション部（引き出し接続線）を介して平滑用コンデンサ５およびリアクトル１６が外付けされた点のみである。したがって、昇降圧動作を行わせることができる。なお、入力側にリアクトル６を接続しているとともに、入力側の端子間にコンデンサ７を接続している。
（４）第２９図の単相−３相電力モジュールは、バック・タイプのコンバータ１０を構成する送電設備網側の６つの表面取付ダイオード１４、１５および１つの表面取付ＩＧＢＴスイッチ１１と、負荷側インバータ２０の６つの表面取付ダイオード４および６つの表面取付ＩＧＢＴスイッチ３とから構成される。１つの表面取付ＩＧＢＴスイッチ１１を制御することにより、送電設備網側の高調波電流を減少させ、ＩＥＣ規制が有効なアプリケーションのために、負荷側インバータのＩＧＢＴおよびダイオードの定格電流を減少させるためＤＣリンク電圧を制御することができる。表面取付ＩＧＢＴスイッチ１１および順接続の１対のダイオード１４の直列回路と並列にダイオード１８を接続し、このダイオード１８と平滑用コンデンサ５との間にリアクトル１９を接続している。したがって、降圧動作を行わせることができる。なお、入力側にリアクトル６を接続しているとともに、入力側の端子間にコンデンサ７を接続している。
第５４図の単相−３相の電力モジュールが第２９図の単相−３相の電力モジュールと異なる点は、ジャンクション部（引き出し接続線）を介して平滑用コンデンサ５が外付けされた点のみである。したがって、降圧動作を行わせることができる。なお、入力側にリアクトル６を接続しているとともに、入力側の端子間にコンデンサ７を接続している。
（５）第３０図の単相−３相電力モジュールは、第２７図の回路の拡張バージョンである。具体的には、平滑用コンデンサ５およびリアクトル１９が省略されている。ＩＥＣ規制が有効なアプリケーションのために、回路トポロジーからリアクトルとコンデンサを完全に削除するため採用される。
（６）第３１図の単相−３相電力モジュールは、送電設備網側コンバータ１０の４つの表面取付ダイオード１４と、負荷側インバータ２０の６つの表面取付ダイオード４および６つの表面取付ＩＧＢＴスイッチ３とから構成される。効率だけが考慮されるアプリケーションのために採用される。なお、送電設備網側コンバータ１０の入力側にリアクトル６を設ける代わりに、送電設備網側コンバータ１０と平滑用コンデンサ５との間にリアクトル８が外付けされている
なお、以上の各電力モジュールにおけるコンバータの制御とインバータの制御とは従来公知であるから、詳細な説明を省略する。
請求項１の発明は、多相−多相変換、単相−多相変換など、種々の電力モジュールを簡単に実現することができるという特有の効果を奏する。
請求項２の発明は、３相−３相変換、単相−３相変換など、種々の電力モジュールを簡単に実現することができるという特有の効果を奏する。
請求項３の発明は、３相−３相変換、単相−３相変換など、種々の電力モジュールを簡単に実現することができるという特有の効果を奏する。
請求項４の発明は、電源高調波に関するＩＥＣ規制をクリアできる種々の電力モジュールをも簡単に実現することができるという特有の効果を奏する。
請求項５の発明は、電源高調波に関するＩＥＣ規制をクリアできる種々の電力モジュールをも簡単に実現することができるという特有の効果を奏する。
請求項６の発明は、３相−３相変換、単相−３相変換など、種々の電力モジュールを簡単に実現することができるという特有の効果を奏する。
請求項７の発明は、電源高調波に関するＩＥＣ規制をクリアできる種々の電力モジュールをも簡単に実現することができるという特有の効果を奏する。
請求項８の発明は、電源高調波に関するＩＥＣ規制をクリアできる種々の電力モジュールをも簡単に実現することができるという特有の効果を奏する。
請求項９の発明は、３相−３相変換、単相−３相変換など、種々の電力モジュールをも簡単に実現することができるという特有の効果を奏する。
請求項１０の発明は、リアクトルにより電源高調波を低減できるとともに、請求項３または請求項６と同様の効果を奏する。
請求項１１の発明は、リアクトルにより電源高調波を低減できるとともに、請求項９と同様の効果を奏する。
請求項１２の発明は、昇降圧を達成できるとともに、請求項８と同様の効果を奏する。
請求項１３の発明は、降圧を達成できるとともに、請求項８と同様の効果を奏する。
請求項１４の発明は、多相−多相変換、単相−多相変換など、種々の電力モジュールを簡単に実現することができるという特有の効果を奏する。
請求項１５の発明は、３相−３相変換、単相−３相変換など、種々の電力モジュールを簡単に実現することができるという特有の効果を奏する。
請求項１６の発明は、３相−３相変換、単相−３相変換など、種々の電力モジュールを簡単に実現することができるという特有の効果を奏する。
請求項１７の発明は、３相−３相変換、単相−３相変換など、種々の電力モジュールをも簡単に実現することができるという特有の効果を奏する。
請求項１８の発明は、電源高調波に関するＩＥＣ規制をクリアできる種々の電力モジュールをも簡単に実現することができるほか、請求項１６と同様の効果を奏する。
請求項１９の発明は、電源高調波に関するＩＥＣ規制をクリアできる種々の電力モジュールをも簡単に実現することができるほか、請求項１６と同様の効果を奏する。
請求項２０の発明は、３相−３相変換、単相−３相変換など、種々の電力モジュールをも簡単に実現することができるという特有の効果を奏する。
請求項２１の発明は、電源高調波に関するＩＥＣ規制をクリアできる種々の電力モジュールをも簡単に実現することができるほか、請求項１６と同様の効果を奏する。
請求項２２の発明は、電源高調波に関するＩＥＣ規制をクリアできる種々の電力モジュールをも簡単に実現することができるほか、請求項１６と同様の効果を奏する。
請求項２３の発明は、３相−３相変換、単相−３相変換など、種々の電力モジュールをも簡単に実現することができるという特有の効果を奏する。
請求項２４の発明は、リアクトルにより電源高調波を低減できるほか、請求項１７または請求項２０と同様の効果を奏する。
請求項２５の発明は、リアクトルにより電源高調波を低減できるほか、請求項２３と同様の効果を奏する。
請求項２６の発明は、昇降圧を達成できるほか、請求項２２と同様の効果を奏する。
請求項２７の発明は、降圧を達成できるとともに、請求項２２と同様の効果を奏する。
【図１】
2004012325.tif 000007
【図２】
2004012325.tif 000008
【図３】
2004012325.tif 000009
【図４】
2004012325.tif 000010
【図５】
2004012325.tif 000011
【図６】
2004012325.tif 000012
【図７】
2004012325.tif 000013
【図８】
2004012325.tif 000014
【図９】
2004012325.tif 000015
【図１０】
2004012325.tif 000016
【図１１】
2004012325.tif 000017
【図１２】
2004012325.tif 000018
【図１３】
2004012325.tif 000019
【図１４】
2004012325.tif 000020
【図１５】
2004012325.tif 000021
【図１６】
2004012325.tif 000022
【図１７】
2004012325.tif 000023
【図１８】
2004012325.tif 000024
【図１９】
2004012325.tif 000025
【図２０】
2004012325.tif 000026
【図２１】
2004012325.tif 000027
【図２２】
2004012325.tif 000028
【図２３】
2004012325.tif 000029
【図２４】
2004012325.tif 000030
【図２５】
2004012325.tif 000031
【図２６】
2004012325.tif 000032
【図２７】
2004012325.tif 000033
【図２８】
2004012325.tif 000034
【図２９】
2004012325.tif 000035
【図３０】
2004012325.tif 000036
【図３１】
2004012325.tif 000037
【図３２】
2004012325.tif 000038
【図３３】
2004012325.tif 000039
【図３４】
2004012325.tif 000040
【図３５】
2004012325.tif 000041
【図３６】
2004012325.tif 000042
【図３７】
2004012325.tif 000043
【図３８】
2004012325.tif 000044
【図３９】
2004012325.tif 000045
【図４０】
2004012325.tif 000046
【図４１】
2004012325.tif 000047
【図４２】
2004012325.tif 000048
【図４３】
2004012325.tif 000049
【図４４】
2004012325.tif 000050
【図４５】
2004012325.tif 000051
【図４６】
2004012325.tif 000052
【図４７】
2004012325.tif 000053
【図４８】
2004012325.tif 000054
【図４９】
2004012325.tif 000055
【図５０】
2004012325.tif 000056
【図５１】
2004012325.tif 000057
【図５２】
2004012325.tif 000058
【図５３】
2004012325.tif 000059
【図５４】
2004012325.tif 000060
【国際調査報告】
2004012325.tif 000061
2004012325.tif 000062
2004012325.tif 000063
2004012325.tif 000064